(57)【要約】【課題】整流部材を効果的に保護できる一方で、特に吐水口の外周部において高い整流性能を実現できる吐水装置を提供すること。【解決手段】本発明は、吐水口を形成する吐水口形成部材と、前記吐水口形成部材の内部に設けられ、前記吐水口の上流側において水の流れを整流する整流部材と、前記吐水口形成部材の内部であって前記整流部材に対して前記吐水口側に設けられ、当該吐水口側に露出された露出整流部材と、前記整流部材の上流側に水を供給する給水路と、を備え、前記露出整流部材及び／または前記吐水口形成部材は、前記吐水口から吐水される水のうち外周部に位置する水を環状の水流として吐水するように形成されていることを特徴とする吐水装置である。【選択図】図３
2018059390.tif 000002
【特許請求の範囲】
【請求項１】
吐水口を形成する吐水口形成部材と、
前記吐水口形成部材の内部に設けられ、前記吐水口の上流側において水の流れを整流する整流部材と、
前記吐水口形成部材の内部であって前記整流部材に対して前記吐水口側に設けられ、当該吐水口側に露出された露出整流部材と、
前記整流部材の上流側に水を供給する給水路と、
を備え、
前記露出整流部材及び／または前記吐水口形成部材は、前記吐水口から吐水される水のうち外周部に位置する水を環状の水流として吐水するように形成されている
ことを特徴とする吐水装置。
【請求項２】
前記露出整流部材は、前記吐水口側の領域に筒状の外周整流面を有しており、
前記外周整流面は、前記吐水口形成部材との間に、環状の整流空間を形成している
ことを特徴とする請求項１に記載の吐水装置。
【請求項３】
前記環状の整流空間は、円環状であり、
前記環状の整流空間の水の流れ方向の長さは、前記環状の整流空間の下流端の径方向の幅より大きい
ことを特徴とする請求項２に記載の吐水装置。
【請求項４】
前記露出整流部材は、水の流れの方向に延設された隔壁によって分離された複数の筒状の中空空間を有しており、
前記隔壁は、平面視において格子状である
ことを特徴とする請求項２または３に記載の吐水装置。
【請求項５】
前記露出整流部材の最外周且つ最下流端における肉厚よりも、当該肉厚方向に見た前記環状の整流空間の幅の方が大きい
ことを特徴とする請求項４に記載の吐水装置。
【請求項６】
前記吐水口の内面の少なくとも下流端側の領域は、下流端に向けて先細状になっている
ことを特徴とする請求項２乃至５のいずれかに記載の吐水装置。
【請求項７】
前記露出整流部材と前記整流部材とは、近接して設けられている
ことを特徴とする請求項２乃至６のいずれかに記載の吐水装置。
【請求項８】
前記露出整流部材は、前記吐水口とは反対側の領域において、複数の離散的に設けられたブリッジ部を介して、前記吐水口形成部材に固定されている
ことを特徴とする請求項２乃至７のいずれかに記載の吐水装置。
【請求項９】
前記露出整流部材は、前記吐水口側の外周領域に環状の整流空間を有している
ことを特徴とする請求項１に記載の吐水装置。
【請求項１０】
前記環状の整流空間は、円環状であり、
前記環状の整流空間の水の流れ方向の長さは、前記環状の整流空間の下流端の径方向の幅より大きい
ことを特徴とする請求項９に記載の吐水装置。
【請求項１１】
前記露出整流部材は、前記環状の整流空間に対して内周側に、水の流れの方向に延設された隔壁によって分離された複数の筒状の中空空間を有しており、
前記隔壁は、平面視において格子状である
ことを特徴とする請求項９または１０に記載の吐水装置。
【請求項１２】
前記環状の整流空間の内周を規定する前記露出整流部材の部分の最下流端における肉厚よりも、当該肉厚方向に見た前記環状の整流空間の幅の方が大きい
ことを特徴とする請求項１１に記載の吐水装置。
【請求項１３】
前記環状の整流空間の少なくとも下流端側の領域は、下流端に向けて先細状になっている
ことを特徴とする請求項９乃至１２のいずれかに記載の吐水装置。
【請求項１４】
前記露出整流部材と前記整流部材とは、近接して設けられている
ことを特徴とする請求項９乃至１３のいずれかに記載の吐水装置。
【請求項１５】
前記環状の整流空間の外周を規定する前記露出整流部材の部分は、前記吐水口とは反対側の領域において、複数の離散的に設けられたブリッジ部を介して、前記環状の整流空間の内周を規定する前記露出整流部材の部分に固定されている
ことを特徴とする請求項９乃至１４のいずれかに記載の吐水装置。
【請求項１６】
前記露出整流部材は、弾性部材で形成されている
ことを特徴とする請求項１乃至１５のいずれかに記載の吐水装置。
【請求項１７】
前記露出整流部材は、前記整流部材よりも変形し難い部材で形成されている
ことを特徴とする請求項１乃至１５のいずれかに記載の吐水装置。
【発明の詳細な説明】
【技術分野】
【０００１】
本発明は、オーバーヘッドシャワーなどに採用され得る吐水装置に関する。
【背景技術】
【０００２】
本件出願人は、吐水される水が人体等に着水する際に起こる水跳ねを低減させるため、また、吐水を美しくみせるため、整流部材（例えばメッシュ）を設けて吐水を整流する吐水装置を提案している（特許文献１）。
【０００３】
より具体的には、特許文献１による吐水装置は、一本の水流としての吐水形状の継続距離を最大化し、たとえば低流量時においても浴室天井に設置した当該吐水装置からの水流は使用者の頭部や肩、または浴室床まで、吐水割れが起こらずに到達する。このような水流は着水時に人体に沿って水膜を形成し、全身を包み込み、水流が温水流である場合には深部体温の上昇に効果的である。
【先行技術文献】
【特許文献】
【０００４】
【特許文献１】特開２０１６−  ７５０８１号公報
【発明の概要】
【発明が解決しようとする課題】
【０００５】
前述の通り、特許文献１は、特にオーバーヘッドシャワーに採用された時に有効な吐水装置を提案している。しかしながら、整流部材（例えばメッシュ）にカルシウムが析出してしまうという懸念が指摘されている。整流部材にカルシウムが析出してしまうと、吐水が乱れて、整流性能が著しく低下する。
【０００６】
従って、整流部材にカルシウムが析出してしまった場合には、直ちに整流部材のメンテナンス（カルシウム除去）を行うことが必要である。しかしながら、従来の構造においてメンテナンスを行う場合、吐水部を分解して整流部材を取り外す必要があった。すなわち、メンテナンスが非常に困難であった。
【０００７】
そこで、本件発明者は、簡単にメンテナンスを行えるような構造として、吐水口において露出する部材（部位）を弾性材料によって形成することについて、具体的には、整流部材に対して吐水口側に弾性材料からなる露出整流部材を設けることについて、鋭意検討を重ねてきた。そのような露出整流部材は、ユーザが手動で押圧変形させることで、そこに析出したカルシウムを容易に除去することができる。
【０００８】
しかしながら、整流部材に対して吐水口側に弾性材料からなる露出整流部材を設けようとすると、露出整流部材は、強度上の問題と製造上の問題とから、ある程度の厚みが必要である。従って、そのような厚みを有する露出整流部材の下流端において吐水割れが発生してしまうことが知見された（図２５参照）。
【０００９】
吐水口の外周部で生じる当該吐水割れは、特に大流量時に発生しやすく、また、吐水口の外周部の整流性能は吐水全体の整流性能に大きく影響するため、回避が強く望まれる。
【００１０】
本発明は、以上のような問題に鑑みてなされたものである。本発明の目的は、簡単にメンテナンスを行える一方で、特に吐水口の外周部において高い整流性能を実現できる吐水装置を提供することである。
【００１１】
更に、本件発明者は、整流部材が一般的に変形しやすい（繊細な）部材であって、異物が接触したり、ユーザが誤って押圧したりすると、整流部材が変形して当該整流部材の整流性能が低下してしまう場合があることを知見した。そして、本件発明者は、吐水口において露出する部材（部位）を整流部材とは別体の露出整流部材によって形成することが、整流部材を異物等による接触から保護する上で有効であることを知見した。この効果は、当該別体の露出整流部材が弾性部材でない場合にも得ることができる。
【００１２】
しかしながら、整流部材に対して吐水口側に別体の露出整流部材を設けようとすると、露出整流部材は、強度上の問題と製造上の問題とから、ある程度の厚みが必要である。従って、そのような厚みを有する露出整流部材の下流端において吐水割れが発生してしまう（図２５参照）。
【００１３】
吐水口の外周部で生じる当該吐水割れは、特に大流量時に発生しやすく、また、吐水口の外周部の整流性能は吐水全体の整流性能に大きく影響するため、回避が強く望まれる。
【００１４】
本発明は、以上のような問題に鑑みてなされたものである。本発明の目的は、整流部材を効果的に保護することができる一方で、特に吐水口の外周部において高い整流性能を実現できる吐水装置を提供することである。
【課題を解決するための手段】
【００１５】
本発明は、吐水口を形成する吐水口形成部材と、前記吐水口形成部材の内部に設けられ、前記吐水口の上流側において水の流れを整流する整流部材と、前記吐水口形成部材の内部であって前記整流部材に対して前記吐水口側に設けられ、当該吐水口側に露出された露出整流部材と、前記整流部材の上流側に水を供給する給水路と、を備え、前記露出整流部材及び／または前記吐水口形成部材は、前記吐水口から吐水される水のうち外周部に位置する水を環状の水流として吐水するように形成されていることを特徴とする吐水装置である。
【００１６】
本発明によれば、吐水口から吐水される水のうち外周部に位置する水が環状の水流として吐水されるため、吐水口の外周部において整流性の高い吐水を行うことができる。このため、整流部材に対して吐水口側に別体の露出整流部材を設けることで吐水口の中心部の整流性が低下したとしても、吐水割れの発生が顕著に抑制され、極めて高い整流性能を実現することができる。
【００１７】
一つの具体的態様では、本発明は、吐水口を形成する吐水口形成部材と、前記吐水口形成部材の内部に設けられ、前記吐水口の上流側において水の流れを整流する整流部材と、前記吐水口形成部材の内部であって前記整流部材に対して前記吐水口側に設けられ、当該吐水口側に露出された露出整流部材と、前記整流部材の上流側に水を供給する給水路と、を備え、前記露出整流部材は、弾性材料によって形成され、前記吐水口側の領域に筒状の外周整流面を有しており、前記外周整流面は、前記吐水口形成部材との間に、環状の整流空間を形成していることを特徴とする吐水装置である。
【００１８】
この態様では、弾性材料によって形成された露出整流部材の吐水口側の領域に、筒状の外周整流面が設けられていて、当該外周整流面と吐水口形成部材との間に環状の整流空間が形成されている。そのため、吐水口の外周部において整流性の高い吐水を行うことができるため、メンテナンス性を向上するために、整流部材に対して吐水口側に弾性部材からなる露出整流部材を設けることで吐水口の中心部の整流性が低下したとしても、吐水割れの発生が顕著に抑制され、極めて高い整流性能を実現することができる。すなわち、メンテナンス性と整流性能とを両立することができる。
【００１９】
そして、露出整流部材が弾性材料で形成されていることにより、当該露出整流部材をユーザが手動で押圧変形させることで、そこに析出したカルシウムを容易に除去することができる。すなわち、メンテナンスを簡単に行うことができる。
【００２０】
別の具体的態様では、本発明は、吐水口を形成する吐水口形成部材と、前記吐水口形成部材の内部に設けられ、前記吐水口の上流側において水の流れを整流する整流部材と、前記吐水口形成部材の内部であって前記整流部材に対して前記吐水口側に設けられ、当該吐水口側に露出された露出整流部材と、前記整流部材の上流側に水を供給する給水路と、を備え、前記露出整流部材は、前記吐水口側の領域に筒状の外周整流面を有しており、前記外周整流面は、前記吐水口形成部材との間に、環状の整流空間を形成していることを特徴とする吐水装置である。
【００２１】
この態様では、露出整流部材の吐水口側の領域に、筒状の外周整流面が設けられていて、当該外周整流面と吐水口形成部材との間に環状の整流空間が形成されている。そのため、吐水口の外周部において整流性の高い吐水を行うことができるため、整流部材を保護するために、整流部材に対して吐水口側に露出整流部材を設けることで吐水口の中心部の整流性が低下したとしても、吐水割れの発生が顕著に抑制され、極めて高い整流性能を実現することができる。すなわち、整流部材の保護性と整流性能とを両立することができる。
【００２２】
以上の各発明において、好ましくは、前記環状の整流空間は、円環状であり、前記環状の整流空間の水の流れ方向の長さは、前記環状の整流空間の下流端の径方向の幅より大きい。
【００２３】
このような条件が満たされる場合、水流が環状の整流空間に入って縮流したとしても当該整流空間内で十分に整流されるため、全体としての整流性能を維持することができる。
【００２４】
また、好ましくは、前記露出整流部材は、水の流れの方向に延設された隔壁によって分離された複数の筒状の中空空間を有している。複数の筒状の中空空間は、断面視で同心の円環状の領域の各々が更に周方向に複数に分割された態様であってもよい。特に、前記隔壁は、平面視において交線部を有する格子状であることが好ましい。ここで、本明細書における「格子状」という表現は、直線同士が交差する態様に限定されないで、直線と曲線とが交差する態様や、曲線同士（曲率が異なっていてもよい）が交差する態様をも含む。更に、本明細書における「格子状」という表現は、４つの辺（線分に限定されず円弧等の曲線でもよい）が区画をなす態様に限定されないで、３つの辺や５つ以上の辺が区画をなす態様をも含む。６つの等辺が区画をなす態様は、ハニカム状と呼ばれる。更に、本明細書における「格子状」という表現は、円や楕円など、「辺」を認識できないような形状全体として区画をなす態様をも含む。
【００２５】
この場合、前記露出整流部材の最外周且つ最下流端における肉厚よりも、当該肉厚方向に見た前記環状の整流空間の幅の方が大きいことが、更に好ましい。
【００２６】
このような条件が満たされる場合、環状の整流空間から吐水される水流の量を比較的多く維持することができるため、膜状の（円環状の）吐水を実現することができる。その結果、吐水口から吐水される水流の全体の形状が、当該膜状の吐水に引っ張られて維持されるため、整流性能を更に向上させることができる。
【００２７】
また、好ましくは、前記吐水口の内面の少なくとも下流端側の領域は、下流端に向けて先細状（切頭円錐状）になっている。
【００２８】
この場合、露出整流部材の最外周且つ最下流端における肉厚の存在によって吐水割れが生じる可能性を、効果的に低減することができる。
【００２９】
また、好ましくは、前記露出整流部材と前記整流部材とは、近接して設けられている。
【００３０】
これによれば、露出整流部材が弾性部材によって形成されている場合、露出整流部材のメンテナンス（手動による押圧変形）の際に、当該露出整流部材を変形させることで当該露出整流部材が整流部材にあたり擦れることで整流部材に析出したカルシウム等の等の固着物を除去することができるため、当該整流部材のメンテナンスを同時に実施することができる。
【００３１】
また、好ましくは、前記露出整流部材は、前記吐水口とは反対側の領域、特には前記吐水口とは反対側の端部、において、複数の離散的に設けられたブリッジ部を介して、前記吐水口形成部材に固定されている。
【００３２】
これによれば、吐水口形成部材と共に環状の整流空間を提供するための筒状の外周整流面を効果的に形成することができる。
【００３３】
以上に開示された態様では、露出整流部材が吐水口側の領域に筒状の外周整流面を有していて、当該外周整流面が吐水口形成部材との間に環状の整流空間を形成している。しかしながら、これに代えて、露出整流部材の吐水口側の外周領域が環状の整流空間を有していてもよい。
【００３４】
このような態様でも、吐水口から吐水される水のうち外周部に位置する水が環状の水流として吐水されるため、吐水口の外周部において整流性の高い吐水を行うことができる。このため、整流部材に対して吐水口側に別体の露出整流部材を設けることで吐水口の中心部の整流性が低下したとしても、吐水割れの発生が顕著に抑制され、極めて高い整流性能を実現することができる。
【００３５】
このような態様においても、好ましくは、前記環状の整流空間は、円環状であり、前記環状の整流空間の水の流れ方向の長さは、前記環状の整流空間の下流端の径方向の幅より大きい。
【００３６】
このような条件が満たされる場合、水流が環状の整流空間に入って縮流したとしても当該整流空間内で十分に整流されるため、全体としての整流性能を維持することができる。
【００３７】
また、好ましくは、前記露出整流部材は、前記環状の整流空間に対して内周側に、水の流れの方向に延設された隔壁によって分離された複数の筒状の中空空間を有している。複数の筒状の中空空間は、断面視で同心の円環状の領域の各々が更に周方向に複数に分割された態様であってもよい。特に、前記隔壁は、平面視において交線部を有する格子状であることが好ましい。
【００３８】
この場合、前記環状の整流空間の内周を規定する前記露出整流部材の部分の最下流端における肉厚よりも、当該肉厚方向に見た前記環状の整流空間の幅の方が大きいことが、更に好ましい。
【００３９】
このような条件が満たされる場合、環状の整流空間から吐水される水流の量を比較的多く維持することができるため、膜状の（円環状の）吐水を実現することができる。その結果、吐水口から吐水される水流の全体の形状が、当該膜状の吐水に引っ張られて維持されるため、整流性能を更に向上させることができる。
【００４０】
また、好ましくは、前記環状の整流空間の少なくとも下流端側の領域は、下流端に向けて先細状（切頭円錐状）になっている。
【００４１】
この場合、環状の整流空間の内周を規定する露出整流部材の部分の最下流端における肉厚の存在によって吐水割れが生じる可能性を、効果的に低減することができる。
【００４２】
また、好ましくは、前記露出整流部材と前記整流部材とは、近接して設けられている。
【００４３】
これによれば、露出整流部材が弾性部材によって形成されている場合、露出整流部材のメンテナンス（手動による押圧変形）の際に、当該露出整流部材を変形させることで当該露出整流部材が整流部材にあたり擦れることで整流部材に析出したカルシウム等の等の固着物を除去することができるため、当該整流部材のメンテナンスを同時に実施することができる。
【００４４】
また、好ましくは、前記環状の整流空間の外周を規定する前記露出整流部材の部分は、前記吐水口とは反対側の領域において、複数の離散的に設けられたブリッジ部を介して、前記環状の整流空間の内周を規定する前記露出整流部材の部分に固定されている。
【００４５】
これによれば、環状の整流空間を効果的に形成することができる。
【発明の効果】
【００４６】
本発明によれば、吐水口から吐水される水のうち外周部に位置する水が環状の水流として吐水されるため、吐水口の外周部において整流性の高い吐水を行うことができる。このため、整流部材に対して吐水口側に別体の露出整流部材を設けることで吐水口の中心部の整流性が低下したとしても、吐水割れの発生が顕著に抑制され、極めて高い整流性能を実現することができる。
【００４７】
例えば、弾性材料によって形成された露出整流部材の吐水口側の領域に、筒状の外周整流面が設けられていて、当該外周整流面と吐水口形成部材との間に環状の整流空間が形成されている場合、吐水割れの発生が顕著に抑制され、極めて高い整流性能を実現することができる。そして、露出整流部材が弾性材料で形成されている場合、当該露出整流部材をユーザが手動で押圧変形させることで、そこに析出したカルシウムを容易に除去することができる。すなわち、メンテナンスを簡単に行うことができる。
【図面の簡単な説明】
【００４８】
【図１】本発明の一実施形態に係る吐水装置の概略縦断面図である。
【図２】図１の吐水装置の要部の分解斜視図である。
【図３】図１の吐水装置の露出整流部材を上から見た斜視図である。
【図４】図３の露出整流部材を下から見た斜視図である。
【図５】図１の吐水装置の下面図である。
【図６】図１の吐水装置のＡ−Ａ線断面図である。
【図７】環状の整流空間の幅と長さとの関係について説明する図である。
【図８】環状の整流空間の幅と露出整流部材の最外周の下流端の肉厚との関係について説明する図である。
【図９】吐水口の内面の傾斜について説明する図である。
【図１０】本発明の他の実施形態に係る吐水装置の概略縦断面図である。
【図１１】図１０の吐水装置の要部の分解斜視図である。
【図１２】図１０の吐水装置の下面図である。
【図１３】本発明の更に他の実施形態に係る吐水装置の概略縦断面図である。
【図１４】図１３の吐水装置の要部の分解斜視図である。
【図１５】図１３の吐水装置の露出整流部材を上から見た斜視図である。
【図１６】図１５の露出整流部材を下から見た斜視図である。
【図１７】図１３の吐水装置の下面図である。
【図１８】図１３の吐水装置のＡ−Ａ線断面図である。
【図１９】環状の整流空間の幅と長さとの関係について説明する図である。
【図２０】環状の整流空間の幅と当該環状の整流空間の内周を規定する前記露出整流部材の部分の最下流端の肉厚との関係について説明する図である。
【図２１】先細状（切頭円錐状）の環状の整流空間について説明する図である。
【図２２】本発明の更に他の実施形態に係る吐水装置の概略縦断面図である。
【図２３】図２２の吐水装置の要部の分解斜視図である。
【図２４】図２２の吐水装置の下面図である。
【図２５】露出整流部材の下流端にブリッジ部が存在する場合の吐水割れについて説明する図である。
【発明を実施するための形態】
【００４９】
以下、添付図面を参照しながら本発明の実施形態について説明する。理解を容易にするため、各図面において同一の構成要素に対しては可能な限り同一の符号を付し、重複する説明は省略する。
【００５０】
図１は、本発明の一実施形態に係る吐水装置の概略縦断面図であり、図２は、図１の吐水装置の要部の分解斜視図であり、図３は、図１の吐水装置の露出整流部材を上から見た斜視図であり、図４は、図３の露出整流部材を下から見た斜視図であり、図５は、図１の吐水装置の下面図であり、図６は、図１の吐水装置のＡ−Ａ線断面図である。
【００５１】
図１乃至図６に示すように、本実施形態の吐水装置１は、吐水口２（図１において下方側に開口している）を形成する吐水口形成部材２１を備えている。吐水口形成部材２１の内部には、吐水口２の上流側において水の流れを整流する整流部材として、第１整流部材４と第２整流部材５とが設けられている。
【００５２】
特に図２に示すように、第１整流部材４は、ディスク状部材によって構成されており、中心部分が遮蔽部４３となっていて、外周領域に水の流れ方向に延びる１６個の通水孔４４が周方向に整列するように設けられ、略半分の直径の同心円上に水の流れ方向に延びる８個の通水孔４５が周方向に整列するように設けられている。
【００５３】
また、図２に示すように、第２整流部材５は、メッシュの網からなる４枚の整流網５１が積層されることによって構成されている。第２整流部材５は、第１整流部材４の下流側に隣接するように配置されている。
【００５４】
一方、図１に示すように、第１整流部材４の上流側には、水を供給する給水路３が設けられている。本実施形態では、吐水口形成部材２１の上流側に隣接して配置された給水路形成部材３１の内部に給水路３が形成されている。吐水口形成部材２１と給水路形成部材３１とは、例えばネジ固定やスナップフィッティングや接着や溶着といった方法で、互いに固定することができる。
【００５５】
また、図１に示すように、給水路３と第１整流部材４との間に第１滞留室４１が形成されていて、第１整流部材４と第２整流部材５との間に第２滞留室４２が形成されている。そして、給水路３の下流端は、遮蔽部４３の領域に収まり重なるように配置されている。従って、給水路３から供給される水は、遮蔽部４３に衝突して第１滞留室４１に滞留することができるようになっている。
【００５６】
そして、図１乃至図６に示すように、吐水口形成部材２１の内部であって、第２整流部材５に対して吐水口２側（図１における下方側）に、弾性材料によって形成された露出整流部材６が配置されている。弾性材料の例としては、シリコンゴム、ＮＢＲ（二トリルブチルラバー）、フッ素ゴム等が挙げられる。
【００５７】
露出整流部材６は、吐水口２側（図１における下方側）の領域に、筒状の外周整流面６１を有している。本実施形態では、外周整流面６１は、円筒状の面である。逆に、露出整流部材６は、吐水口２とは反対側（図１における上方側）の領域において、周方向に略等間隔に設けられた７個のブリッジ部６２を介して、大径の円環フランジ部６３を有している。この円環フランジ部６３が、吐水口形成部材２１の内面に設けられた段差部２１ｓと第２整流部材５との間に挟まれることで、露出整流部材６は吐水口形成部材２１に固定されている。
【００５８】
この態様により、露出整流部材６は、７個の離散的に設けられたブリッジ部６２を介して、吐水口形成部材２１に対して浮いたように固定されているため、ユーザによる押圧操作時に十分に変形することができる。
【００５９】
また、露出整流部材６は、水の流れの方向に延設された隔壁６４によって分離された複数の筒状の中空空間６５を有している。複数の筒状の中空空間６５は、本実施形態では、断面視で同心の円環状の領域の各々が更に周方向に複数に分割された態様となっている（図３乃至図６参照）。
【００６０】
隔壁６４は、平面視において交線部を有する格子状である。ここで、本明細書における「格子状」という表現は、直線同士が交差する態様に限定されないで、直線と曲線とが交差する態様や、曲線同士（曲率が異なっていてもよい）が交差する態様をも含む。更に、本明細書における「格子状」という表現は、４つの辺（線分に限定されず円弧等の曲線でもよい）が区画をなす態様に限定されないで、３つの辺や５つ以上の辺が区画をなす態様をも含む。６つの等辺が区画をなす態様は、ハニカム状と呼ばれる。更に、本明細書における「格子状」という表現は、円や楕円など、「辺」を認識できないような形状全体として区画をなす態様をも含む。
【００６１】
そして、外周整流面６１は、吐水口形成部材２１との間に、環状の整流空間６６を形成している。本実施形態では、環状の整流空間６６は、円環状であって、図７（ａ）に示すように、当該環状の整流空間６６の水の流れ方向の長さｂは、環状の整流空間６６の下流端の径方向の幅ａより大きくなっている。
【００６２】
このような寸法条件が採用されることにより、水流が環状の整流空間６６に入って縮流したとしても、当該整流空間６６内で十分に整流されるため、全体としての整流性能を維持することができる。すなわち、図７（ｂ）に示すように、例えばｂ＞ａの関係が成り立つ程に十分にｂの長さがあれば、縮流後、整流されて吐水される。（図７（ｃ）は、縮流後、整流されずに吐水される状態を示している。）
【００６３】
また、本実施形態では、図８（ａ）に示すように、露出整流部材６の最外周且つ最下流端における肉厚ｃよりも、当該肉厚方向に見た環状の整流空間６６の幅ａの方が大きくなっている。
【００６４】
このような寸法条件が採用されることにより、環状の整流空間６６から吐水される水流の量を比較的多く維持することができるため、膜状の（円環状の）吐水を実現することができる。その結果、吐水口２から吐水される水流の全体の形状が、当該膜状の吐水に引っ張られて維持されるため、整流性能を更に向上させることができる。すなわち、図８（ｂ）に示すように、ａの長さが十分でない場合には、環状の整流空間６６が狭く吐水後の水流が粒化してしまって、整流性能が良くない。（流路幅が狭い（流量が少ない）と、吐水後に粒化しやすい。すなわち、水流の外周部が粒化してしまうため、吐水が乱れてしまう。）
【００６５】
また、本実施形態では、図９に示すように、吐水口２の内面の少なくとも下流端側の領域が、下流端に向けて先細状（切頭円錐状）になっている。このため、露出整流部材６の最外周且つ最下流端における肉厚の存在によって吐水割れが生じる可能性を、効果的に抑制することができる。（スリット部を流れた水は中央に向かうため、水流の割れが抑制される。）
【００６６】
その他、図１に示すように、第１整流部材４の上流側面と給水路形成部材３１との間には、リングシール３２が設けられている。また、第２整流部材５の（最下流側の整流網５１の）下流側の面と露出整流部材６の上流側の面との間の間隙は、露出整流部材６を弾性変形させた際に第２整流部材５にあたる程度である。すなわち、露出整流部材６と第２整流部材５とは、互いに近接して設けられている。
【００６７】
このため、露出整流部材６のメンテナンス（手動による押圧変形）の際に、当該露出整流部材６の変形を介して第２整流部材５をも変形させることができ、当該第２整流部材５のメンテナンスを同時に実施することができる。
【００６８】
次に、本実施形態の作用について説明する。
【００６９】
給水路３から供給される水は、第１整流部材４の遮蔽部４３（もしくは当該遮蔽部４３に衝突して逆流してくる水）と衝突した後、第１滞留室４１内に一旦滞留する。これにより、第１滞留室４１内部に水圧が篭るような状態となる。その後、第１滞留室４１に滞留した水は、上流方向からの水に押し出され、通水孔４４及び通水孔４５を介して下流側へ流出していく。
【００７０】
通水孔４４及び通水孔４５から流出した水は、第２整流部材５を経て吐水口２へ直進する流れと、表面張力や内部に発生する負圧により第２滞留室４２の中心方向へ向かう流れと、に分かれる。後者の中心方向への流れは、中心部で集約された後、第２整流部材５を経て吐水口２へと流出していく。
【００７１】
第２整流部材５の４枚の整流網５１を通過する際、水流の速度ベクトルは進行方向に揃えられる。その後、水流は、露出整流部材６の複数の筒状の中空空間６５と露出整流部材６の外周の環状の整流空間６６とを経て、吐水口２から吐水される。この結果、吐水口２から吐水される水は、一本の水流となる。本実施形態が例えばオーバーヘッドシャワーとして用いられる場合、このような水流は、着水時に人体に沿って水膜を形成し、全身を包み込み、水流が温水流である場合には深部体温の上昇に効果的である。
【００７２】
特に、露出整流部材６の吐水口側２の領域に、筒状の外周整流面６１が設けられていて、当該外周整流面６１と吐水口形成部材２１との間に環状の整流空間６６が形成されているため、吐水割れの発生が顕著に抑制され、極めて高い整流性能を実現することができる。
【００７３】
また、本実施形態では、環状の整流空間６６は円環状であり、環状の整流空間６６の水の流れ方向の長さｂは、環状の整流空間６６の下流端の径方向の幅ａより大きくなっているため（図７（ａ）参照）、水流が環状の整流空間６６に入って縮流したとしても、当該整流空間６６内で十分に整流され、全体としての整流性能を維持することができる。
【００７４】
また、本実施形態では、露出整流部材６の最外周且つ最下流端における肉厚ｃよりも、当該肉厚方向に見た環状の整流空間６６の幅ａの方が大きくなっているため（図８（ａ）参照）、環状の整流空間６６から吐水される水流の量を比較的多く維持することができ、膜状の（円環状の）吐水を実現することができる。その結果、吐水口２から吐水される水流の全体の形状が、当該膜状の吐水に引っ張られて維持され、整流性能を更に向上させることができる。
【００７５】
また、本実施形態では、吐水口２の内面の少なくとも下流端側の領域が、下流端に向けて先細状になっている（図９参照）。このため、露出整流部材６の最外周且つ最下流端における肉厚の存在によって吐水割れが生じる可能性を、効果的に抑制することができる。
【００７６】
また、露出整流部材６が弾性材料で形成されていることにより、当該露出整流部材６をユーザが手動で押圧変形させることで、そこに析出したカルシウムを容易に除去することができる。すなわち、露出整流部材６のメンテナンスを簡単に行うことができる。
【００７７】
特に、本実施形態の露出整流部材６は、７個の離散的に設けられたブリッジ部６２を介して、吐水口形成部材２１に対して浮いたように固定されているため、ユーザによる押圧操作時に十分に変形することができる。
【００７８】
更に、本実施形態の露出整流部材６は、第２整流部材５に対して近接して設けられている。これにより、露出整流部材６のメンテナンス（手動による押圧変形）の際に、当該露出整流部材６の変形を介して第２整流部材５をも変形させることができ、当該第２整流部材５のメンテナンスを同時に実施することができる。
【００７９】
また、本実施形態では、露出整流部材６は、吐水口２とは反対側の端部において、ブリッジ部６２及び円環フランジ部６３を介して吐水口形成部材２１に固定されている。このことにより、吐水口形成部材２１と共に環状の整流空間６６を提供するための筒状の外周整流面６１を効果的に形成している。
【００８０】
なお、本実施形態では、第１整流部材４と第２整流部材５との水流通過の方向が同一に揃えられているため、速度ベクトルを効率的に揃えることができる。また、整流網５１の枚数を更に多くしたり、各整流網５１の厚みを厚くしたり、各整流網５１の網目を細かくしたりすることで、整流効果を更に大きくすることもできる。
【００８１】
次に、図１０は、本発明の他の実施形態に係る吐水装置の概略縦断面図であり、図１１は、図１０の吐水装置の要部の分解斜視図であり、図１２は、図１０の吐水装置の下面図である。
【００８２】
図１０乃至図１２に示すように、本実施形態の吐水装置１’では、図１乃至図９を用いて説明した実施形態と異なり、第１整流部材４’、第２整流部材５’（整流網５１’）、及び、露出整流部材６’が円環状になっていて、それらを固定部７が貫いている。固定部７は、保持リング７１を介して第１整流部材４’に支持されている。
【００８３】
特に図１０に示すように、本実施形態の露出整流部材６’は、固定部７の大径部７２によって支持された中央縮径部６７’を有しており、ブリッジ部６２及び円環フランジ部６３を有していない。（露出整流部材６’は、固定部７及び第１整流部材４を介して、吐水口形成部材２１に固定されている。）そして、吐水口形成部材２１の段差部２１ｓには、第２整流部材５（の整流網５１）が載置されている。
【００８４】
また、露出整流部材６’の複数の筒状の中空空間６５’は、本実施形態では、断面視でいわゆるハニカム状となっている（図１２参照）。
【００８５】
なお、本実施形態では、露出整流部材６’の最外周且つ最下流端における肉厚ｃと、当該肉厚方向に見た環状の整流空間６６’の幅ａとが、略等しくなっている。また、本実施形態では、吐水口２の内面が円筒状で、下流端に向けて先細状になっていない。
【００８６】
その他の構成は、図１乃至図９を用いて説明した前記実施形態の吐水装置１と略同様である。図１０乃至図１２において、前記実施形態と同様の構成部分には同様の符号を付し、その詳細な説明は省略する。
【００８７】
本実施形態によっても、吐水口２から吐水される水は、一本の水流となる。本実施形態が例えばオーバーヘッドシャワーとして用いられる場合、このような水流は、着水時に人体に沿って水膜を形成し、全身を包み込み、水流が温水流である場合には深部体温の上昇に効果的である。
【００８８】
特に、本実施形態によれば、弾性材料によって形成された露出整流部材６’の側面全体が筒状の外周整流面６１’となっていて、当該外周整流面６１’と吐水口形成部材２１との間に環状の整流空間６６’が形成されている。これにより、吐水割れの発生が顕著に抑制され、極めて高い整流性能を実現することができる。
【００８９】
また、本実施形態でも、環状の整流空間６６’は円環状であり、環状の整流空間６６’の水の流れ方向の長さｂは、環状の整流空間６６’の下流端の径方向の幅ａより大きくなっているため（図７（ａ）参照）、水流が環状の整流空間６６’に入って縮流したとしても、当該整流空間６６’内で十分に整流され、全体としての整流性能を維持することができる。
【００９０】
また、露出整流部材６’が弾性材料で形成されていることにより、当該露出整流部材６’をユーザが手動で押圧変形させることで、そこに析出したカルシウムを容易に除去することができる。すなわち、露出整流部材６’のメンテナンスを簡単に行うことができる。
【００９１】
特に、本実施形態の露出整流部材６’は、固定部７を介して、吐水口形成部材２１に対して浮いたように固定されているため、ユーザによる押圧操作時に十分に変形することができる。
【００９２】
更に、本実施形態の露出整流部材６’は、第２整流部材５’に対して近接して設けられている。これにより、露出整流部材６’のメンテナンス（手動による押圧変形）の際に、当該露出整流部材６’の変形を介して第２整流部材５’をも変形させることができ、当該第２整流部材５’のメンテナンスを同時に実施することができる。
【００９３】
なお、以上の各実施形態では、露出整流部材６、６’が第２整流部材５、５’とは別体に設けられていることにより、第２整流部材５、５’を異物等による接触から有効に保護することができる。この効果を得るために、露出整流部材６、６’が弾性部材である必要はない。換言すれば、以上の各実施形態において露出整流部材６、６’を非弾性部材によって形成した構成も、本発明の開示内容に含まれる。例えば、露出整流部材６、６’は、第２整流部材５、５’よりも変形し難い部材、例えば硬質のプラスチック等、で形成され得る。この場合、露出整流部材６、６’が第２整流部材５、５’を効果的に保護することができる。
【００９４】
また、以上の各実施形態では、露出整流部材６、６’が吐水口側の領域に筒状の外周整流面６１、６１’を有していて、当該外周整流面６１、６１’が吐水口形成部材２１との間に環状の整流空間６６、６６’を形成している。しかしながら、これに代えて、露出整流部材の吐水口側の外周領域が環状の整流空間を有していてもよい。その場合、例えば、露出整流部材の外周面が吐水口形成部材の吐水口側の領域に嵌合されるようになっている。
【００９５】
図１３は、そのような実施形態に係る吐水装置の概略縦断面図であり、図１４は、図１３の吐水装置の要部の分解斜視図であり、図１５は、図１３の吐水装置の露出整流部材を上から見た斜視図であり、図１６は、図１５の露出整流部材を下から見た斜視図であり、図１７は、図１３の吐水装置の下面図であり、図１８は、図１３の吐水装置のＡ−Ａ線断面図である。
【００９６】
図１３乃至図１８に示すように、本実施形態の吐水装置１０１においては、吐水口形成部材１２１の内部であって、第２整流部材５に対して吐水口１０２側（図１３における下方側）に、弾性材料によって形成された露出整流部材１０６が配置されている。弾性材料の例としては、シリコンゴム、ＮＢＲ（二トリルブチルラバー）、フッ素ゴム等が挙げられる。もっとも、段落００９３において説明した通り、露出整流部材１０６は非弾性材料によって形成されていてもよい。
【００９７】
露出整流部材１０６の外周領域は、吐水口１０２側（図１３における下方側）の領域に、環状の整流空間１６６を有している。本実施形態では、環状の整流空間１６６は、円環状の空間である。環状の整流空間１６６の外周を規定する露出整流部材１０６の部分は、吐水口１０２とは反対側（図１３における上方側）の端部領域において、環状の整流空間１６６の内周を規定する露出整流部材１０６の部分に対して、周方向に略等間隔に設けられた７個のブリッジ部１６２を介して固定されている。また、環状の整流空間１６６の外周を規定する露出整流部材１０６の部分は、吐水口１０２とは反対側（図１３における上方側）の端部において、更に外周側に向かって延びて大径の円環フランジ部１６３を形成している。この円環フランジ部１６３が、吐水口形成部材１２１の内面に設けられた段差部１２１ｓと第２整流部材５との間に挟まれることで、露出整流部材１０６は吐水口形成部材１２１に固定されている。また、露出整流部材１０６の外周面は、吐水口形成部材１２１の吐水口側の領域に嵌合されている。
【００９８】
この態様により、露出整流部材１０６の環状の整流空間１６６よりも内周側の部分は、７個の離散的に設けられたブリッジ部１６２を介して、露出整流部材１０６の環状の整流空間１６６の外周を規定する部分及び吐水口形成部材１２１に対して浮いたように固定されているため、ユーザによる押圧操作時に十分に変形することができる。
【００９９】
また、露出整流部材１０６は、環状の整流空間１６６に対して内周側に、水の流れの方向に延設された隔壁１６４によって分離された複数の筒状の中空空間１６５を有している。複数の筒状の中空空間１６５は、本実施形態では、断面視で同心の円環状の領域の各々が更に周方向に複数に分割された態様となっている（図１５乃至図１８参照）。
【０１００】
隔壁１６４は、平面視において交線部を有する格子状である。前述のように、本明細書における「格子状」という表現は、直線同士が交差する態様に限定されないで、直線と曲線とが交差する態様や、曲線同士（曲率が異なっていてもよい）が交差する態様を含み、４つの辺（線分に限定されず円弧等の曲線でもよい）が区画をなす態様に限定されないで３つの辺や５つ以上の辺が区画をなす態様を含み、円や楕円など「辺」を認識できないような形状全体として区画をなす態様をも含む。
【０１０１】
そして、本実施形態では、図１９（ａ）に示すように、環状の整流空間１６６の水の流れ方向の長さｂは、環状の整流空間１６６の下流端の径方向の幅ａより大きくなっている。
【０１０２】
このような寸法条件が採用されることにより、水流が環状の整流空間１６６に入って縮流したとしても、当該整流空間１６６内で十分に整流されるため、全体としての整流性能を維持することができる。すなわち、図１９（ｂ）に示すように、例えばｂ＞ａの関係が成り立つ程に十分にｂの長さがあれば、縮流後、整流されて吐水される。（図１９（ｃ）は、縮流後、整流されずに吐水される状態を示している。）
【０１０３】
また、本実施形態では、図２０（ａ）に示すように、環状の整流空間１６６の内周を規定する露出整流部材１０６の部分の最下流端における肉厚ｃよりも、当該肉厚方向に見た環状の整流空間１６６の幅ａの方が大きくなっている。
【０１０４】
このような寸法条件が採用されることにより、環状の整流空間１６６から吐水される水流の量を比較的多く維持することができるため、膜状の（円環状の）吐水を実現することができる。その結果、吐水口１０２から吐水される水流の全体の形状が、当該膜状の吐水に引っ張られて維持されるため、整流性能を更に向上させることができる。すなわち、図２０（ｂ）に示すように、ａの長さが十分でない場合には、環状の整流空間１６６が狭く吐水後の水流が粒化してしまって、整流性能が良くない。（流路幅が狭い（流量が少ない）と、吐水後に粒化しやすい。すなわち、水流の外周部が粒化してしまうため、吐水が乱れてしまう。）
【０１０５】
また、本実施形態では、図２１に示すように、環状の整流空間１６６の少なくとも下流端側の領域が、下流端に向けて先細状（切頭円錐状）になっている。このため、環状の整流空間１６６の内周を規定する露出整流部材１０６の部分の最下流端における肉厚の存在によって吐水割れが生じる可能性を、効果的に抑制することができる。（スリット部を流れた水は中央に向かうため、水流の割れが抑制される。）
【０１０６】
第２整流部材５の（最下流側の整流網５１の）下流側の面と露出整流部材１０６の上流側の面との間の間隙も、露出整流部材１０６を弾性変形させた際に第２整流部材５にあたる程度である。すなわち、露出整流部材１０６と第２整流部材５とは、互いに近接して設けられている。このため、露出整流部材１０６のメンテナンス（手動による押圧変形）の際に、当該露出整流部材１０６の変形を介して第２整流部材５をも変形させることができ、当該第２整流部材５のメンテナンスを同時に実施することができる。もっとも、前述の通り、露出整流部材１０６は非弾性材料によって形成されていてもよい。
【０１０７】
その他の構成は、図１乃至図９を用いて説明した実施形態の吐水装置１と略同様である。図１３乃至図２２において、前記実施形態と同様の構成部分には同様の符号を付し、その詳細な説明は省略する。
【０１０８】
次に、本実施形態の作用について説明する。
【０１０９】
本実施形態においても、給水路３から供給される水は、第１整流部材４の遮蔽部４３（もしくは当該遮蔽部４３に衝突して逆流してくる水）と衝突した後、第１滞留室４１内に一旦滞留する。これにより、第１滞留室４１内部に水圧が篭るような状態となる。その後、第１滞留室４１に滞留した水は、上流方向からの水に押し出され、通水孔４４及び通水孔４５を介して下流側へ流出していく。
【０１１０】
通水孔４４及び通水孔４５から流出した水は、第２整流部材５を経て吐水口１０２へ直進する流れと、表面張力や内部に発生する負圧により第２滞留室４２の中心方向へ向かう流れと、に分かれる。後者の中心方向への流れは、中心部で集約された後、第２整流部材５を経て吐水口１０２へと流出していく。
【０１１１】
第２整流部材５の４枚の整流網５１を通過する際、水流の速度ベクトルは進行方向に揃えられる。その後、水流は、露出整流部材１０６の外周領域の環状の整流空間１６６と、当該環状の整流空間１６６より内周側の複数の筒状の中空空間１６５とを経て、吐水口１０２から吐水される。この結果、吐水口１０２から吐水される水は、一本の水流となる。本実施形態が例えばオーバーヘッドシャワーとして用いられる場合、このような水流は、着水時に人体に沿って水膜を形成し、全身を包み込み、水流が温水流である場合には深部体温の上昇に効果的である。
【０１１２】
特に、露出整流部材１０６の吐水口側１０２の外周領域に環状の整流空間１６６が形成されているため、吐水割れの発生が顕著に抑制され、極めて高い整流性能を実現することができる。
【０１１３】
また、本実施形態では、環状の整流空間１６６は円環状であり、環状の整流空間１６６の水の流れ方向の長さｂは、環状の整流空間１６６の下流端の径方向の幅ａより大きくなっているため（図１９（ａ）参照）、水流が環状の整流空間１６６に入って縮流したとしても、当該整流空間１６６内で十分に整流され、全体としての整流性能を維持することができる。
【０１１４】
また、本実施形態では、環状の整流空間１６６の内周を規定する露出整流部材１０６の部分の最下流端における肉厚ｃよりも、当該肉厚方向に見た環状の整流空間１６６の幅ａの方が大きくなっているため（図２０（ａ）参照）、環状の整流空間１６６から吐水される水流の量を比較的多く維持することができ、膜状の（円環状の）吐水を実現することができる。その結果、吐水口１０２から吐水される水流の全体の形状が、当該膜状の吐水に引っ張られて維持され、整流性能を更に向上させることができる。
【０１１５】
また、本実施形態では、環状の整流空間１６６の少なくとも下流端側の領域が、下流端に向けて先細状になっている（図２１参照）。このため、環状の整流空間１６６の内周を規定する露出整流部材１０６の部分の最下流端における肉厚の存在によって吐水割れが生じる可能性を、効果的に抑制することができる。
【０１１６】
また、露出整流部材１０６が弾性材料で形成されていることにより、当該露出整流部材１０６をユーザが手動で押圧変形させることで、そこに析出したカルシウムを容易に除去することができる。すなわち、露出整流部材１０６のメンテナンスを簡単に行うことができる。
【０１１７】
特に、本実施形態の露出整流部材１０６の環状の整流空間１６６よりも内周側の部分は、７個の離散的に設けられたブリッジ部１６２を介して、露出整流部材１０６の環状の整流空間１６６の外周を規定する部分及び吐水口形成部材１２１に対して浮いたように固定されているため、ユーザによる押圧操作時に十分に変形することができる。
【０１１８】
更に、本実施形態の露出整流部材１０６は、第２整流部材５に対して近接して設けられている。これにより、露出整流部材１０６のメンテナンス（手動による押圧変形）の際に、当該露出整流部材１０６の変形を介して第２整流部材５をも変形させることができ、当該第２整流部材５のメンテナンスを同時に実施することができる。もっとも、前述の通り、露出整流部材１０６は非弾性材料によって形成されていてもよい。
【０１１９】
また、本実施形態では、環状の整流空間１６６の外周を規定する露出整流部材１０６の部分が、吐水口１０２とは反対側の端部領域において、環状の整流空間１６６の内周を規定する露出整流部材１０６の部分に対して、周方向に略等間隔に設けられた７個のブリッジ部６２を介して固定されている。このことにより、環状の整流空間１６６を効果的に形成している。
【０１２０】
なお、本実施形態でも、第１整流部材４と第２整流部材５との水流通過の方向が同一に揃えられているため、速度ベクトルを効率的に揃えることができる。また、整流網５１の枚数を更に多くしたり、各整流網５１の厚みを厚くしたり、各整流網５１の網目を細かくしたりすることで、整流効果を更に大きくすることもできる。
【０１２１】
次に、図２２は、本発明の更に他の実施形態に係る吐水装置の概略縦断面図であり、図２３は、図２２の吐水装置の要部の分解斜視図であり、図２４は、図２２の吐水装置の下面図である。
【０１２２】
図２２乃至図２４に示すように、本実施形態の吐水装置１０１’では、図１３乃至図２１を用いて説明した実施形態と異なり、第１整流部材４’、第２整流部材５’（整流網１５１’）、及び、露出整流部材１０６’が円環状になっていて、それらを固定部１０７が貫いている。固定部１０７は、保持リング１７１を介して第１整流部材４’に支持されている。
【０１２３】
特に図２２に示すように、本実施形態の露出整流部材１０６’は、固定部１０７の大径部１７２によって支持された中央縮径部１６７’を有しており、円環フランジ部１６３を有していない。（露出整流部材１０６’は、固定部１０７及び第１整流部材１０４を介して、吐水口形成部材１２１に固定されている。）そして、吐水口形成部材１２１の段差部１２１ｓには、第２整流部材５（の整流網５１）が載置されている。
【０１２４】
また、露出整流部材１０６’の複数の筒状の中空空間１６５’は、本実施形態では、断面視でいわゆるハニカム状となっている（図２４参照）。また、環状の整流空間１６６’の外周を規定する露出整流部材１０６’の部分は、吐水口１０２とは反対側の端部領域において、環状の整流空間１６６’の内周を規定する露出整流部材１０６’の部分に対して、周方向に略等間隔に設けられた３個のブリッジ部１６２’を介して固定されている。
【０１２５】
なお、本実施形態では、環状の整流空間１６６’の内周を規定する露出整流部材１０６’の部分の最下流端における肉厚ｃと、当該肉厚方向に見た環状の整流空間１６６’の幅ａとが、略等しくなっている。また、本実施形態では、環状の整流空間１６６’が円筒状で、下流端に向けて先細状になっていない。
【０１２６】
その他の構成は、図１３乃至図２１を用いて説明した前記実施形態の吐水装置１０１と略同様である。図２２乃至図２４において、前記実施形態と同様の構成部分には同様の符号を付し、その詳細な説明は省略する。
【０１２７】
本実施形態によっても、吐水口１０２から吐水される水は、一本の水流となる。本実施形態が例えばオーバーヘッドシャワーとして用いられる場合、このような水流は、着水時に人体に沿って水膜を形成し、全身を包み込み、水流が温水流である場合には深部体温の上昇に効果的である。
【０１２８】
特に、本実施形態によれば、弾性材料によって形成された露出整流部材１０６’の外周領域に環状の整流空間１６６’が形成されている。これにより、吐水割れの発生が顕著に抑制され、極めて高い整流性能を実現することができる。
【０１２９】
また、本実施形態でも、環状の整流空間１６６’は円環状であり、環状の整流空間１６６’の水の流れ方向の長さｂは、環状の整流空間１６６’の下流端の径方向の幅ａより大きくなっているため（図１９（ａ）参照）、水流が環状の整流空間１６６’に入って縮流したとしても、当該整流空間１６６’内で十分に整流され、全体としての整流性能を維持することができる。
【０１３０】
また、露出整流部材１０６’が弾性材料で形成されていることにより、当該露出整流部材１０６’をユーザが手動で押圧変形させることで、そこに析出したカルシウムを容易に除去することができる。すなわち、露出整流部材１０６’のメンテナンスを簡単に行うことができる。
【０１３１】
特に、本実施形態の露出整流部材１０６’の環状の整流空間１６６’よりも内周側の部分は、３個の離散的に設けられたブリッジ部１６２’を介して、露出整流部材１０６’の環状の整流空間１６６’の外周を規定する部分及び吐水口形成部材１２１に対して浮いたように固定されているため、ユーザによる押圧操作時に十分に変形することができる。
【０１３２】
更に、本実施形態の露出整流部材１０６’は、第２整流部材５’に対して近接して設けられている。これにより、露出整流部材１０６’のメンテナンス（手動による押圧変形）の際に、当該露出整流部材１０６’の変形を介して第２整流部材５’をも変形させることができ、当該第２整流部材５’のメンテナンスを同時に実施することができる。もっとも、前述の通り、露出整流部材１０６’は非弾性材料によって形成されていてもよい。
【符号の説明】
【０１３３】
１、１’          吐水装置
２                吐水口
２１              吐水口形成部材
３                給水路
３１              給水路形成部材
３２              シールリング
４、４’          第１整流部材
４１              第１滞留室
４２              第２滞留室
４３              遮蔽部
４４、４４’      通水孔
４５、４５’      通水孔
５、５’          第２整流部材
５１、５１’      整流網
６、６’          露出整流部材
６１、６１’      外周整流面
６２              ブリッジ部
６３              円環フランジ部
６４、６４’      隔壁
６５、６５’      中空空間
６６、６６’      環状の整流空間
６７’            中央縮径部
７                固定部
７１              保持リング
７２              大径部
１０１、１０１’  吐水装置
１０２            吐水口
１２１            吐水口形成部材
１０６、１０６’  露出整流部材
１６２、１６２’  ブリッジ部
１６３            円環フランジ部
１６４、１６４’  隔壁
１６５、１６５’中空空間
１６６、１６６’環状の整流空間
１６７’        中央縮径部
１０７          固定部
１７１          保持リング
１７２          大径部
【図１】
2018059390.tif 000003
【図２】
2018059390.tif 000004
【図３】
2018059390.tif 000005
【図４】
2018059390.tif 000006
【図５】
2018059390.tif 000007
【図６】
2018059390.tif 000008
【図７】
2018059390.tif 000009
【図８】
2018059390.tif 000010
【図９】
2018059390.tif 000011
【図１０】
2018059390.tif 000012
【図１１】
2018059390.tif 000013
【図１２】
2018059390.tif 000014
【図１３】
2018059390.tif 000015
【図１４】
2018059390.tif 000016
【図１５】
2018059390.tif 000017
【図１６】
2018059390.tif 000018
【図１７】
2018059390.tif 000019
【図１８】
2018059390.tif 000020
【図１９】
2018059390.tif 000021
【図２０】
2018059390.tif 000022
【図２１】
2018059390.tif 000023
【図２２】
2018059390.tif 000024
【図２３】
2018059390.tif 000025
【図２４】
2018059390.tif 000026
【図２５】
2018059390.tif 000027